【手続補正書】
【提出日】平成18年11月22日(2006.11.22)
【手続補正１】
【補正対象書類名】明細書
【補正対象項目名】特許請求の範囲
【補正方法】変更
【補正の内容】
【特許請求の範囲】
【請求項１】 ユーザーをオーディオ電話ネットワークへ対話型ブラウズさせるように構成された装置であって、
ａ．起点となるユーザーを第１の電話サービスへ第１の電話番号で接続する手段と、
ｂ．関連する第２の電話番号を有する第１の関連テキストを持ち、前記起点ユーザーにより送られるように構成された第１オーディオ指標を与える手段であり、その第１の関連テキストは第１電話サービスにより与えられると共に、前記オーディオ指標は、第１の関連テキストを第１電話サービスにより与えられた他のテキストから区別し、更に前記オーディオ指標は、前記起点ユーザーにより検出されるように構成されている手段と、
ｃ．前記起点ユーザーが第１の関連テキストを反復するのを検知し、且つこれに応答して前記起点ユーザーを第２の電話サービスへ第２の電話番号で接続する手段とを備える装置。
【請求項２】 請求項１の装置において、第２電話サービスへの接続成功を検知すると第１電話サービスを切断する手段を更に備える装置。
【請求項３】 請求項１の装置において、第１電話サービスが、関連テキストを有する複数のオーディオ指標を含み、その各々は第１電話サービスへのアクセスに際して有効になる装置。
【請求項４】 請求項１の装置において、
ａ．関連テキストを有し、且つ音声有効なワールドワイドウェブページのための関連ＵＲＬを有して、前記起点ユーザーにより送られるように構成されたオーディオ指標を与える手段であり、その第２の関連テキストは第２電話サービスにより与えられると共に、前記オーディオ指標は、前記起点ユーザーにより検出されるように構成されている手段と、
と、
ｂ．前記起点ユーザーが第２の関連テキストを反復するのを検知し、且つこれに応答して前記起点ユーザーを前記音声有効ワールドワイドウェブページへ前記関連ＵＲＬで接続させる手段とを更に備える装置。
【請求項５】 請求項４の装置において、前記音声可能ワールドワイドウェブページへの接続成功を検知すると第１電話サービスを切断する手段を更に備える装置。
【請求項６】 請求項１の装置において、
ａ．関連テキストを有し、且つテキスト／スピーチコンバータに関連して操作されるワールドワイドウェブページのための関連ＵＲＬを有して、前記起点ユーザーにより送られるように構成されたオーディオ指標を与える手段であり、その第２の関連テキストは第２電話サービスにより与えられると共に、前記オーディオ指標は、第２の関連テキストを第２電話サービスにより与えられた他のテキストから区別し、更に前記オーディオ指標は、前記起点ユーザーにより検出されるように構成されている手段と、
ｂ．前記起点ユーザーが第２の関連テキストを反復するのを検知し、且つこれに応答して前記起点ユーザーを前記ワールドワイドウェブページへ前記関連ＵＲＬで接続させる手段とを更に備える装置。
【請求項７】 請求項６の装置において、前記ワールドワイドウェブページへの接続成功を検知すると第１電話サービスを切断する手段を更に備える装置。
【請求項８】 ユーザーにオーディオ電話ネットワークへの対話型ブラウズを可能とするように構成された装置であって、
ａ．起点となるユーザーを第１の音声有効なワールドワイドウェブページへ第１のＵＲＬで接続する手段と、
ｂ．第１の関連テキストを有し、且つ関連電話番号を有して、前記起点ユーザーにより送られるように構成された第１のオーディオ指標を与える手段であり、その第１の関連テキストは、第１の音声有効なワールドワイドウェブページにより与えられると共に、前記オーディオ指標は、第１の関連テキストを第１の音声有効ワールドワイドウェブページにより与えられた他のテキストから区別し、更に前記オーディオ指標は、前記起点ユーザーにより検出されるように構成されている手段と、
ｃ．前記起点ユーザーが第１関連テキストを反復するのを検知し、且つこれに応答して前記起点ユーザーを第１電話サービスへ前記関連電話番号で接続する手段とを備える装置。
【請求項９】 請求項８の装置において、前記音声有効ワールドワイドウェブページが、複数のオーディオ指標を含み、その各々は前記音声有効ワールドワイドウェブページへのアクセスに際して有効になる装置。
【請求項１０】 請求項８の装置において、
ａ．第２の関連テキストを有し、且つ第２の音声有効なワールドワイドウェブページのための関連ＵＲＬを有して、前記起点ユーザーにより送られるように構成されたオーディオ指標を与える手段であり、その第２の関連テキストは第１電話サービスにより与えられると共に、前記オーディオ指標は、第２の関連テキストを第１電話サービスにより与えられた他のテキストから区別し、更に前記オーディオ指標は、前記起点ユーザーにより検出されるように構成されている手段と、
ｂ．前記起点ユーザーが第２関連テキストを反復するのを検知し、且つこれに応答して前記起点ユーザーを第２の音声有効ワールドワイドウェブページへ前記関連ＵＲＬで接続する手段とを更に備える装置。
【請求項１１】 請求項１０の装置において、前記音声有効ワールドワイドウェブページへの接続成功を検知すると第１電話サービスを切断する手段を更に備える装置。
【請求項１２】 請求項８の装置において、
ａ．第２の関連テキストを有し、且つテキスト／スピーチコンバータに関連して 操作されるワールドワイドウェブページのための関連ＵＲＬを有して、前記起点ユーザーにより送られるように構成されたオーディオ指標を与える手段であり、その第２の関連テキストは第１電話サービスにより与えられると共に、前記オーディオ指標は、第２の関連テキストを第１電話サービスにより与えられた他のテキストから区別し、更に前記オーディオ指標は、前記起点ユーザーにより検出されるように構成されている手段と、
ｂ．前記起点ユーザーが第２関連テキストを反復するのを検知し、且つこれに応答して前記起点ユーザーを前記ワールドワイドウェブページへ前記関連ＵＲＬで接続させる手段とを更に備える装置。
【請求項１３】 請求項１２の装置において、前記ワールドワイドウェブページへの接続成功を検知すると第１電話サービスを切断する手段を更に備える装置。
【請求項１４】 ユーザーにオーディオ電話ネットワークへの対話型ブラウズを可能とするように構成された装置であって、
ａ．起点となるユーザーをテキスト／スピーチコンバータに関連して操作される第１の関連ＵＲＬでワールドワイドウェブページへ接続する手段と、
ｂ．第１の関連テキストを有し、且つ関連する電話番号を有して、前記起点ユーザーにより送られるように構成された第１のオーディオ指標を与える手段であり、その第１の関連テキストは、前記ワールドワイドウェブページにより与えられると共に、前記オーディオ指標は、第１の関連テキストを前記ワールドワイドウェブページにより与えられた他のテキストから区別し、更に前記オーディオ指標は、前記起点ユーザーにより検出されるように構成されている手段と、
ｃ．前記起点ユーザーが第１関連テキストを反復するのを検知し、且つこれに応答して前記起点ユーザーを第１電話サービスへ前記関連電話番号で接続する手段と を備える装置。
【請求項１５】 請求項１４の装置において、前記ワールドワイドウェブページが、複数のオーディオ指標を含み、その各々は前記ワールドワイドウェブページへのアクセスに際して有効になる装置。
【請求項１６】 請求項１４の装置において、
ａ．第２の関連テキストを有し、且つ音声有効なワールドワイドウェブページのための関連ＵＲＬを有して、前記起点ユーザーにより送られるように構成されたオーディオ指標を与える手段であり、その第２の関連テキストは第１電話サービスにより与えられると共に、前記オーディオ指標は、第２の関連テキストを第１電話サービスにより与えられた他のテキストから区別し、更に前記オーディオ指標は、前記起点ユーザーにより検出されるように構成されている手段と、
ｂ．前記起点ユーザーが第２関連テキストを反復するのを検知し、且つこれに応答して前記起点ユーザーを前記音声有効ワールドワイドウェブページへ前記関連ＵＲＬで接続する手段とを更に備える装置。
【請求項１７】 請求項１６の装置において、前記音声有効ワールドワイドウェブページへの接続成功を検知すると第１電話サービスを切断する手段を更に備える装置。
【請求項１８】 請求項１４の装置において、
ａ．第２の関連テキストを有し、且つテキスト／スピーチコンバータに関連して操作される第２のワールドワイドウェブページのための関連ＵＲＬを有して、前記起点ユーザーにより送られるように構成されたオーディオ指標を与える手段であり、その第２の関連テキストは第１電話サービスにより与えられると共に、前記オーディオ指標は、第２の関連テキストを第１電話サービスにより与えられた他のテキストから区別し、更に前記オーディオ指標は、前記起点ユーザーにより検出されるように構成されている手段と、
ｂ．前記起点ユーザーが第２関連テキストを反復するのを検知し、且つこれに応答して前記起点ユーザーを第２のワールドワイドウェブページへ前記関連ＵＲＬで接続させる手段とを更に備える装置。
【請求項１９】 請求項１８の装置において、前記ワールドワイドウェブページへの接続成功を検知すると第１電話サービスを切断する手段を更に備える装置。
【請求項２０】 オーディオ電話ネットワークを対話型ブラウズさせる方法であって、
ａ．起点となるユーザーを第１の電話サービスへ第１の電話番号で接続する段階と、
ｂ．関連するテキストを有し、且つ第１の電話サービス内に関連する第２の電話番号を有して、前記起点ユーザーにより送られるように構成された第１オーディオ指標を与える段階であり、その関連テキストは第１電話サービスにより与えられると共に、前記オーディオ指標は、前記関連テキストを第１電話サービスにより与えられた他のテキストから区別し、更に前記オーディオ指標は、前記起点ユーザーにより検出されるように構成されている段階と、
ｃ．前記起点ユーザーが前記関連テキストを反復するのを検知し、且つこれに応答して第１電話サービスを切断すると共に、前記起点ユーザーを第２の電話サービスへ第２の電話番号で接続する段階とを含む方法。
【請求項２１】 請求項２０の方法において、第１電話サービスが、関連テキストを有する複数のオーディオ指標を含み、その各々は第１電話サービスへのアクセスに際して有効になる方法。
【請求項２２】 ユーザーをオーディオ情報のネットワークへ対話型ブラウズさせるシステムであって、
ａ．ブラウザコントローラを備え、このブラウザコントローラは、
（１）ユーザーにオーディオ情報を受け取らせて、言語指令を送信させる手段と、
（２）音声コマンドに応答してユーザーを第１の電話ステーションへリンクさせるリンク手段とを含み、 前記システムは更に、
ｂ．音声ページを備え、この音声ページは、
（１）ユーザーに情報を再生し、特定の情報がこれにリンクする能力のあるオーディオ指標により再生され、そのオーディオ指標は前記特定の情報を他の再生される情報から区別する手段と、
（２）ユーザーが前記オーディオ指標により情報セットオフを反復すると、これを検知する手段と、
（３）ユーザーが前記オーディオ指標により情報セットオフを反復したことの検知に応答して、前記特定の情報に関連する電話番号と制御信号とを前記ブラウザコントローラへ送信する手段とを含むことにより、前記ブラウザコントローラがユーザーを第１電話ステーションから切断して、前記電話番号により第２の電話ステーションへの新たなリンクを確立するシステム。
【請求項２３】 請求項２２のシステムにおいて、前記ブラウザコントローラが、ユーザーが利用可能な複数の所定の音声コマンドを更に含むシステム。
【請求項２４】 請求項２２のシステムにおいて、前記ブラウザコントローラが、ユーザーにより所望された好ましいリンクに関する情報の開始ページを更に含むシステム。
【請求項２５】 請求項２２のシステムにおいて、前記ブラウザコントローラが、電話呼出を監視して、ユーザーが所定の制御単語を発声したときに、前記ブラウザコントローラに呼出の制御を取り戻させる手段を更に含むシステム。
【請求項２６】 請求項２２のシステムにおいて、第１電話ステーションが所定の情報サービスを含むシステム。
【請求項２７】 請求項２２のシステムにおいて、第１電話ステーションがＩＶＲスピーチシステムを含むシステム。
【請求項２８】 請求項２２のシステムにおいて、第１電話ステーションがＩＶＲ ｄｔｍｆシステムを含むシステム。
【請求項２９】 請求項２２のシステムにおいて、第１電話ステーションが前記リンク手段と対話するように構成された電話サービスを含むシステム。
【請求項３０】 請求項２２のシステムにおいて、第１電話ステーションが通常の電話セットを含むシステム。
【請求項３１】 請求項２２のシステムにおいて、第１電話ステーションが音声可能なワールドワイドウェブページを含むシステム。
【請求項３２】 請求項２２のシステムにおいて、第１電話ステーションがテキスト／スピーチ変換器に関連して操作されるように構成されたワールドワイドウェブページを含むシステム。
【請求項３３】 ユーザーをオーディオ情報のネットワークへ対話型ブラウズさせるシステムであって、
ａ．ブラウザコントローラを備え、このブラウザコントローラは、
（１）ユーザーにオーディオ情報を受け取らせて、言語指令を送信させる手段と、
（２）音声コマンドに応答してユーザーを音声有効ワールドワイドウェブページへリンクさせるリンク手段とを含み、前記システムは更に、
ｂ．音声ページを備え、この音声ページは、
（１）ユーザーに情報を再生し、特定の情報がこれにリンクする能力のあるオーディオ指標により再生され、そのオーディオ指標は前記特定の情報を他の再生される情報から区別する手段と、
（２）ユーザーが前記オーディオ指標により情報セットオフを反復すると、これを検知する手段と、
（３）ユーザーが前記オーディオ指標により情報セットオフを反復したことの検知に応答して、前記特定の情報に関連する電話番号と制御信号とを前記ブラウザコントローラへ送信する手段とを含むことにより、前記ブラウザコントローラがユーザーを前記音声有効ワールドワイドウェブページから切断して、前記電話番号により電話ステーションへの新たなリンクを確立するシステム。
【請求項３４】 請求項３３のシステムにおいて、前記ブラウザコントローラが、ユーザーが利用可能な複数の所定の音声コマンドを更に含むシステム。
【請求項３５】 請求項３３のシステムにおいて、前記ブラウザコントローラが、ユーザーにより所望された好ましいリンクに関する情報の開始ページを更に含むシステム。
【請求項３６】 請求項３３のシステムにおいて、前記ブラウザコントローラが、電話呼出を監視して、ユーザーが所定の制御単語を発声したときに、前記ブラウザコントローラに呼出の制御を取り戻させる手段を更に含むシステム。
【請求項３７】 請求項３３のシステムにおいて、第１電話ステーションが所定の情報サービスを含むシステム。
【請求項３８】 ユーザーをオーディオ情報のネットワークへ対話型ブラウズさせる方法であって、
ａ．ユーザーにオーディオ情報を受け取らせて、言語指令を送信させる段階と、
ｂ．音声コマンドに応答してユーザーを第１の電話ステーションへリンクさせる段階とを含み、更に、
ｃ．遠隔位置において、
（１）ユーザーに情報を再生し、特定の情報がこれにリンクする能力のあるオーディオ指標により再生され、そのオーディオ指標は前記特定の情報を他の再生される情報から区別する段階と、
（２）ユーザーが前記オーディオ指標により情報セットオフを反復すると、これを検知する段階と、
（３）ユーザーが前記オーディオ指標により情報セットオフを反復したことの検知に応答して、前記特定の情報に関連する電話番号と制御信号とを前記ブラウザ コントローラへ送信する段階とを含むことにより、ユーザーを第１電話ステーションから切断して、前記電話番号により第２の電話ステーションへの新たなリンクを確立する方法。
【請求項３９】 ユーザーをオーディオ情報のネットワークへ対話型ブラウズさせる方法であって、
ａ．ユーザーにオーディオ情報を受け取らせて、言語指令を送信させる段階と、
ｂ．音声コマンドに応答してユーザーを第１の電話ステーションへリンクさせる段階とを含み、更に、
ｃ．遠隔位置において、
（１）ユーザーに情報を再生し、特定の情報がこれにリンクする能力のあるオーディオ指標により再生され、そのオーディオ指標は前記特定の情報を他の再生される情報から区別する段階と、
（２）ユーザーが前記オーディオ指標により情報セットオフを反復すると、これを検知する段階と、
（３）ユーザーが前記オーディオ指標により情報セットオフを反復したことの検知に応答して、前記特定の情報に関連するＵＲＬと制御信号とを前記ブラウザコントローラへ送信する段階とを含むことにより、ユーザーを第１電話ステーションから切断して、前記ＵＲＬにより音声有効なワールドワイドウェブページへの新たなリンクを確立する方法。
【請求項４０】 ユーザーをオーディオ情報のネットワークへ対話型ブラウズさせる方法であって、
ａ．ユーザーにオーディオ情報を受け取らせて、言語指令を送信させる段階と、
ｂ．音声コマンドに応答してユーザーを第１の電話ステーションへリンクさせる段階とを含み、更に、
ｃ．遠隔位置において、
（１）ユーザーに情報を再生し、特定の情報がこれにリンクする能力のあるオーディオ指標により再生され、そのオーディオ指標は前記特定の情報を他の再生される情報から区別する段階と、
（２）ユーザーが前記オーディオ指標により情報セットオフを反復すると、これを検知する段階と、
（３）ユーザーが前記オーディオ指標により情報セットオフを反復したことの検知に応答して、前記特定の情報に関連するＵＲＬと制御信号とを前記ブラウザコ ントローラへ送信する段階とを含むことにより、ユーザーを第１電話ステーションから切断して、前記ＵＲＬにより、テキスト／スピーチコンバータに関連して操作されるように構成されたワールドワイドウェブページへの新たなリンクを確立する方法。
【請求項４１】 ユーザーをオーディオ情報のネットワークへ対話型ブラウズさせる方法であって、
ａ．ユーザーにオーディオ情報を受け取らせて、言語指令を送信させる段階と、
ｂ．音声コマンドに応答してユーザーを音声有効なワールドワイドウェブページへリンクさせる段階とを含み、更に、
ｃ．遠隔位置において、
（１）ユーザーに情報を再生し、特定の情報がこれにリンクする能力のあるオーディオ指標により再生され、そのオーディオ指標は前記特定の情報を他の再生される情報から区別する段階と、
（２）ユーザーが前記オーディオ指標により情報セットオフを反復すると、これを検知する段階と、
（３）ユーザーが前記オーディオ指標により情報セットオフを反復したことの検知に応答して、前記特定の情報に関連する電話番号と制御信号とを前記ブラウザコントローラへ送信する段階とを含むことにより、ユーザーを前記音声有効ワールドワイドウェブページから切断して、前記電話番号により電話ステーションへの新たなリンクを確立する方法。
【請求項４２】 ユーザーをオーディオ情報のネットワークへ対話型ブラウズさせる方法であって、
ａ．ユーザーにオーディオ情報を受け取らせて、言語指令を送信させる段階と、
ｂ．音声コマンドに応答してユーザーを音声有効なワールドワイドウェブページへリンクさせる段階とを含み、更に、
ｃ．遠隔位置において、
（１）ユーザーに情報を再生し、特定の情報がこれにリンクする能力のあるオーディオ指標により再生され、そのオーディオ指標は前記特定の情報を他の再生される情報から区別する段階と、
（２）ユーザーが前記オーディオ指標により情報セットオフを反復すると、これを検知する段階と、
（３）ユーザーが前記オーディオ指標により情報セットオフを反復したことの検知に応答して、前記特定の情報に関連するＵＲＬと制御信号とを前記ブラウザコントローラへ送信する段階とを含むことにより、ユーザーを前記音声有効ワールドワイドウェブページから切断して、前記ＵＲＬにより、第２の音声有効ワールドワイドウェブページへの新たなリンクを確立する方法。
【請求項４３】 ユーザーをオーディオ情報のネットワークへ対話型ブラウズさせる方法であって、
ａ．ユーザーにオーディオ情報を受け取らせて、言語指令を送信させる段階と、
ｂ．音声コマンドに応答してユーザーを音声可能なワールドワイドウェブページへリンクさせる段階とを含み、更に、
ｃ．遠隔位置において、
（１）ユーザーに情報を再生し、特定の情報がこれにリンクする能力のあるオーディオ指標により再生され、そのオーディオ指標は前記特定の情報を他の再生される情報から区別する段階と、
（２）ユーザーが前記オーディオ指標により情報セットオフを反復すると、これを検知する段階と、
（３）ユーザーが前記オーディオ指標により情報セットオフを反復したことの検知に応答して、前記特定の情報に関連するＵＲＬと制御信号とを前記ブラウザコ ントローラへ送信する段階とを含むことにより、ユーザーを前記音声有効ワールドワイドウェブページから切断して、前記ＵＲＬにより、テキスト／スピーチコンバータに関連して操作されるように構成されたワールドワイドウェブページへの新たなリンクを確立する方法。
【請求項４４】 ユーザーをオーディオ情報のネットワークへ対話型ブラウズさせる方法であって、
ａ．ユーザーにオーディオ情報を受け取らせて、言語指令を送信させる段階と、
ｂ．音声コマンドに応答してユーザーを、テキスト／スピーチ変換器に関連して操作されるように構成されたワールドワイドウェブページへリンクさせる段階とを含み、更に、
ｃ．遠隔位置において、
（１）ユーザーに情報を再生し、特定の情報がこれにリンクする能力のあるオーディオ指標により再生され、そのオーディオ指標は前記特定の情報を他の再生される情報から区別する段階と、
（２）ユーザーが前記オーディオ指標により情報セットオフを反復すると、これを検知する段階と、
（３）ユーザーが前記オーディオ指標により情報セットオフを反復したことの検知に応答して、前記特定の情報に関連する電話番号と制御信号とを前記ブラウザコントローラへ送信する段階とを含むことにより、ユーザーをワールドワイドウェブページから切断して、前記電話番号により電話ステーションへの新たなリンクを確立する方法。
【請求項４５】 ユーザーをオーディオ情報のネットワークへ対話型ブラウズさせる方法であって、
ａ．ユーザーにオーディオ情報を受け取らせて、言語指令を送信させる段階と、
ｂ．音声コマンドに応答してユーザーを、テキスト／スピーチコンバータに関連して操作されるように構成されたワールドワイドウェブページへリンクさせる段階とを含み、更に、
ｃ．遠隔位置において、
（１）ユーザーに情報を再生し、特定の情報がこれにリンクする能力のあるオーディオ指標により再生され、そのオーディオ指標は前記特定の情報を他の再生される情報から区別する段階と、
（２）ユーザーが前記オーディオ指標により情報セットオフを反復すると、これを検知する段階と、
（３）ユーザーが前記オーディオ指標により情報セットオフを反復したことの検知に応答して、前記特定の情報に関連するＵＲＬと制御信号とを前記ブラウザコ ントローラへ送信する段階とを含むことにより、ユーザーを前記ワールドワイドウェブページから切断して、前記ＵＲＬにより音声有効なワールドワイドウェブページへの新たなリンクを確立する方法。
【請求項４６】 ユーザーをオーディオ情報のネットワークへ対話型ブラウズさせる方法であって、
ａ．ユーザーにオーディオ情報を受け取らせて、言語指令を送信させる段階と、
ｂ．音声コマンドに応答してユーザーを、テキスト／スピーチコンバータに関連して操作されるように構成されたワールドワイドウェブページへリンクさせる段階とを含み、更に、
ｃ．遠隔位置において、
（１）ユーザーに情報を再生し、特定の情報がこれにリンクする能力のあるオーディオ指標により再生され、そのオーディオ指標は前記特定の情報を他の再生される情報から区別する段階と、
（２）ユーザーが前記オーディオ指標により情報セットオフを反復すると、これを検知する段階と、
（３）ユーザーが前記オーディオ指標により情報セットオフを反復したことの検知に応答して、前記特定の情報に関連するＵＲＬと制御信号とを前記ブラウザコントローラへ送信する段階とを含むことにより、ユーザーを前記ワールドワイドウェブページから切断して、前記ＵＲＬにより、テキスト／スピーチコンバータに関連して操作されるように構成された第２のワールドワイドウェブページへの新たなリンクを確立する方法。